【手続補正書】
【提出日】平成18年7月11日(2006.7.11)
【手続補正１】
【補正対象書類名】特許請求の範囲
【補正対象項目名】全文
【補正方法】変更
【補正の内容】
【特許請求の範囲】
【請求項１】
照射済み核燃料集合体のための改良形超音波洗浄器組立体であって、
核燃料集合体を受け入れるハウジング組立体にして、流体を内包しているハウジング組立体と、
所定時に前記ハウジング組立体から流体を抜き取り及びろ過するフィルタ及びポンプ組立体と、
流路を燃料プールと前記フィルタ及びポンプ組立体への吸込みラインとの間で切り換える、前記ハウジング組立体に接続された分流器組立体にして、バイパス位置にあるとき、燃料プールへの流路を確立し、係合位置にあるとき、前記フィルタ及びポンプ組立体への前記吸込みラインへの流路を確立する分流器組立体とを有し、
前記分流器組立体が前記パイパス位置と前記係合位置との間で移動可能であるばね偏倚された可動部材を有している、改良形超音波洗浄器組立体。
【請求項２】
前記分流器組立体が、固定された部材を有し、
前記可動部材が前記固定された部材に対して前記パイパス位置と前記係合位置との間で移動可能である、請求項１に記載の超音波洗浄器組立体。
【請求項３】
前記ばね偏倚された可動部材が、前記燃料集合体がかける力に応答して前記バイパス位置から前記係合位置に移動する、請求項２に記載の超音波洗浄器組立体。
【請求項４】
前記固定された部材が、自身に形成された少なくとも一つのバイパス位置窓と係合位置窓を有し、
前記ばね偏倚された可動部材が、自身に形成された少なくとも一つの窓を有し、
前記可動部材が前記バイパス位置にある時、前記少なくとも一つの窓が前記少なくとも一つのバイパス位置窓と整合し、前記可動部材が前記係合位置にある時、前記少なくとも一つの窓が前記少なくとも一つの係合位置窓と整合する、請求項２に記載の超音波洗浄器組立体。
【請求項５】
前記分流器組立体が前記ハウジング組立体内に位置している、請求項１に記載の超音波洗浄器組立体。
【請求項６】
前記分流器組立体が前記係合位置にある時、前記燃料プールへの前記流路が閉止される、請求項１に記載の超音波洗浄器組立体。
【請求項７】
前記分流器組立体が前記バイパス位置にある時、前記フィルタ及びポンプ組立体への前記吸込みラインへの前記流路が閉止される、請求項１に記載の超音波洗浄器組立体。
【請求項８】
前記分流器組立体が前記バイパス位置にある時、前記分流器組立体が前記燃料プールへの前記流路を通る流体流れを許す、請求項１に記載の超音波洗浄器組立体。
【請求項９】
前記可動部材が前記バイパス位置へ向かってばね偏倚されている、請求項１に記載の超音波洗浄器組立体。
【請求項１０】
改良形超音波洗浄器組立体であって、
第１の核燃料集合体を受け入れるための第１のハウジング組立体にして、流体を内包している第１のハウジング組立体と、
第２の核燃料集合体を受け入れるための第２のハウジング組立体にして、流体を内包している第２のハウジング組立体と、
所定時に前記第１のハウジング組立体と前記第２のハウジング組立体の少なくとも一つから流体を抜き取り及びろ過するフィルタ及びポンプ組立体と、
前記第１のハウジング組立体に接続された第１の分流器組立体にして、流路を、バイパス位置にあるときの燃料プールと、係合位置にあるときの前記フィルタ及びポンプ組立体への吸込みラインとの間で切り替える第１の分流器組立体と、
前記第２のハウジング組立体に接続された第２の分流器組立体にして、流路を、バイパス位置にあるときの前記燃料プールと、係合位置にあるときの前記フィルタ及びポンプ組立体への前記吸込みラインとの間で切り替える第２の分流器組立体と、を備える改良形超音波洗浄器組立体。
【請求項１１】
各分流器組立体が、固定された部材を有し、各可動部材が、関連する固定された部材に対して前記パイパス位置と前記係合位置との間で移動可能である、請求項１０に記載の超音波洗浄器組立体。
【請求項１２】
ばね偏倚された各可動部材が、対応する燃料集合体がかける力に応答して前記バイパス位置から前記係合位置に移動する、請求項１１に記載の超音波洗浄器組立体。
【請求項１３】
前記固定された部材が自身に形成された少なくとも一つのバイパス位置窓と係合位置窓を有し、
前記ばね偏倚された可動部材が自身に形成された少なくとも一つの窓を有し、
前記可動部材が前記バイパス位置にある時、前記少なくとも一つの窓が前記少なくとも一つのバイパス位置窓と整合し、前記可動部材が前記係合位置にある時、前記少なくとも一つの窓が前記少なくとも一つの係合位置窓と整合する、請求項１１に記載の超音波洗浄器組立体。
【請求項１４】
前記第１の分流器組立体が前記第１のハウジング組立体内に位置し、前記第２の分流器組立体が前記第２のハウジング組立体内に位置している、請求項１０に記載の超音波洗浄器組立体。
【請求項１５】
両方の前記ハウジング組立体が空の時、両方の前記分流器がわずかに開き、バイパス流を可能にする、請求項１０又は１１又は１２又は１３に記載の超音波洗浄器組立体。
【請求項１６】
前記第１の分流器組立体が前記係合位置にある時、前記第１の分流器組立体が前記第１のハウジング組立体と前記燃料プールとの間の流路を閉止する、請求項１０に記載の超音波洗浄器組立体。
【請求項１７】
前記第１の分流器組立体が前記バイパス位置にある時、前記第１の分流器組立体が前記第１のハウジング組立体と前記フィルタ及びポンプ組立体への前記吸い込みラインとの間の流路を閉止する、請求項１０に記載の超音波洗浄器組立体。
【請求項１８】
前記第１の分流器組立体が前記バイパス位置にある時、前記第１の分流器組立体が前記燃料プールへの前記流路を通る流体流れを許す、請求項１０に記載の超音波洗浄器組立体。
【請求項１９】
各前記可動部材が前記バイパス位置へ向かってばね偏倚されている、請求項１０に記載の超音波洗浄器組立体。
【請求項２０】
固定された外側部材にして、自身に形成された少なくとも一つのバイパス位置窓と少なくとも一つの係合位置窓を有した外側部材と、
自身に形成された少なくとも一つの窓を有した、ばね偏倚された可動部材とを有し、
該可動部材が前記固定された外側部材内をパイパス位置と係合位置との間で移動可能であり、該可動部材が該可動部材へ加えられる下向きの力に応答して前記バイパス位置から前記係合位置に移動し、
前記可動部材が前記バイパス位置にある時、前記少なくとも一つの窓が前記少なくとも一つのバイパス位置窓と整合し、前記可動部材が前記係合位置にある時、前記少なくとも一つの窓が前記少なくとも一つの係合位置窓と整合する、分流器組立体。
【請求項２１】
前記ばね偏倚された可動部材が、前記可動部材上への物体の配置に応答して前記バイパス位置から前記係合位置に移動する、請求項２０に記載の分流器組立体。
【請求項２２】
照射済み核燃料集合体のための超音波洗浄器組立体であって、
照射済み核燃料集合体を収容するように構成及び配置され、流体を内包している第１のハウジング組立体と、
前記第１のハウジング組立体内に配置された第１の超音波変換器と、
第１の流体流路によって前記第１のハウジング組立体に流体的に接続されたフィルタ及びポンプ組立体にして、前記第１のハウジング組立体から流体を抜き取りろ過するように構成及び配置されたフィルタ及びポンプ組立体と、
第１及び第２の位置の間を可動の第１の可動部材を有する分流器組立体にして、前記第１の可動部材が、前記第１の位置にある時、前記第２の位置にある時よりも前記第１の流体流路を通る少ない流体流れを許し、前記第１の位置に向かってばね偏倚されていて、照射済み核燃料集合体によって加えられる力に応じて前記第２の位置へ動くように構成及び配置されている、分流器組立体とを有している、超音波洗浄器組立体。
【請求項２３】
前記第１のハウジング組立体と該第１のハウジング組立体を包囲している環境との間の第２の流体流路をさらに有し、前記第１の可動部材が前記第２の位置にある時、前記第２の流体流路を閉止し、前記第１の可動部材が前記第１の位置にある時、前記第２の流体流路を通る流体の流れを許している、請求項２２に記載の超音波洗浄器組立体。
【請求項２４】
前記第１の可動部材が前記第１の位置にある時、前記第１の流体流路を閉止している、請求項２２に記載の超音波洗浄器組立体。
【請求項２５】
前記第１のハウジング組立体が照射済み核燃料集合体を収容していない時、前記第１の可動部材が前記フィルタ及びポンプ組立体の作動に応じて第３の位置に動くように構成及び配置されており、
前記第１の可動部材が前記第３の位置にある時、前記第１の流体流路を通る流体流れを許し、
前記第１の可動部材が前記第３の位置にある時、前記第２の位置にある時よりも前記第１の流体流路を通る少ない流体流れを許している、請求項２４に記載の超音波洗浄器組立体。
【請求項２６】
照射済み核燃料集合体を収容するように構成及び配置され、流体を内包している第２のハウジング組立体と、
前記第２のハウジング組立体によって収容された照射済み核燃料集合体を洗浄するように前記第２のハウジング組立体に対して位置された第２の超音波変換器と、
前記第２のハウジング組立体を前記フィルタ及びポンプ組立体に流体的に接続する第２の流体流路と、
第３と第４の位置の間を可動であり、前記第３の位置にある時、前記第４の位置にある時よりも前記第２の流体流路を通る少ない流体流れを許している第２の可動部材とをさらに有している、請求項２２に記載の超音波洗浄器組立体。
【請求項２７】
前記フィルタ及びポンプ組立体に作動接続された共通の吸い込みラインをさらに有し、
前記第１及び第２の流体流路が前記共通吸い込みラインを通って延在しており、
前記第２の可動部材が自身の第３の位置に向かって偏倚されていて、
前記第２の可動部材が、前記第２のハウジング組立体内に置かれている照射済み核燃料集合体によって加えられる力に応じて前記第４の位置に動くように構成及び配置されている、請求項２６に記載の超音波洗浄器組立体。